(57)【要約】 【課題】風車の翼の切断に適用して好適な環境配慮及び労働安全を考慮した切断装置及び切断方法を提案する。    【解決手段】大型風車の翼のような長尺の被切断物の切断箇所に自走装置に設けた回転カッター装置の切断刃を近づけ、回転する切断刃の近傍に設けた噴射口から粉塵の飛散防止のための水の噴射し、切断する際に泥状の粉塵を切断位置の下側に水槽を設けて一旦溜め、水槽から泥状の粉塵と溜まった水分と共に濾過装置に送り込み、濾過された清浄水を管路を経由して再び噴射口へ供給して再び切断刃及び切断箇所に噴射するようにした切断装置及び切断方法。【選択図】図３
2012040622.tif 000002
【特許請求の範囲】
【請求項１】
切断箇所に自走装置に設けた回転カッター装置の切断刃と、切断刃の近傍に設けた噴射口から粉塵の飛散防止のための水の噴射装置と、切断操作を自走装置の運転席から遠隔制御して切断するように構成したことを特徴とする切断装置。
【請求項２】
切断箇所に自走装置に設けた回転カッター装置の切断刃を近づけ、切断刃の近傍に設けた噴射口から粉塵の飛散防止のための水の噴射装置と、切断操作を遠隔の自走装置の運転席から制御して切断する際に泥状の粉塵を切断位置の下側に溜める水槽を設け、水槽から泥状の粉塵と溜まった水分が供給される濾過装置と、濾過された清浄水を水槽を経由して再び噴射口へ供給するようにした管路とを具備したことを特徴とする切断装置。
【請求項３】
被切断物の切断箇所に自走装置に設けた回転カッター装置の切断刃と、回転する切断刃の近傍に設けた噴射口から粉塵の飛散防止のための水を噴射装置とを具備し、切断操作を自走装置の運転席から遠隔制御して切断するように構成したことを特徴とする切断方法。
【請求項４】
被切断物の切断箇所に自走装置に設けた回転カッター装置の切断刃を近づけ、回転する切断刃の近傍に設けた噴射口から粉塵の飛散防止のための水の噴射しながら切断操作を遠隔の自走装置の運転席から制御し、切断する際に泥状の粉塵を切断位置の下側に水槽を設けて一旦溜め、水槽から泥状の粉塵と溜まった水分と共に濾過装置に送り込み、濾過された清浄水を管路を経由して再び噴射口へ供給して再び切断刃及び切断箇所に噴射するようにしたことを特徴とする切断方法。
【発明の詳細な説明】
【技術分野】
【０００１】
本発明は、例えば大型風車の翼等の切断に適用して好適な切断装置及び切断方法に関する。
【背景技術】
【０００２】
自然エネルギを有効利用する一環として、大型風車を用いて発電することが多く見られる。しかし風車の翼は通常の寿命による交換、台風等による破損によって交換が必要になる。
【０００３】
従来は、大きな風車の翼の切断には回転する刃を設けたハンドカッターにより、人力で行う例が多く見られる。しかし翼の材質にはFRP（繊維強化プラスチック）が主として用いられ、そのため切断時の粉塵が発生し、それを作業者が吸い込むという危険を招来する。またハンドカッターでは操作時の誤りによる人身への障害が発生する危険もある。特に風車設置個所は風の強い箇所にあるため、その突発的な風によって作業者が風で煽られて回転するハンドカッターにより身体への障害を発するといった状況は容易に考え得る。
【０００４】
ところで発明者は、先に直線切りをするため、作業者の安全を期すために、バックホーのような自走装置のアーム先端に、油圧モータにより回転する切断用カッターを取り付けて運転席から遠隔制御する切断方法を提案した（特許文献１）。
【０００５】
しかし、上記のように、風車翼の材質がＦＲＰのような人体に悪い影響を及ぼす材質の場合は、切断時に浮遊する粉塵を吸い込む虞れがある環境で切断することは、労働衛生上絶対避けなければならない。
【先行技術文献】
【特許文献】
【０００６】
【特許文献１】特開２００２−３２２８９７
【発明の概要】
【発明が解決しようとする課題】
【０００７】
本発明はかかる点に鑑み、ハンドカッターによる切断方法を採らず、作業者が直接カッター装置を手で操作することなく、その切断箇所から離れた箇所にて自走機械等に設けた回転カッター装置により離隔的に切断操作をすることにより、作業者が切断時の粉塵を吸い込むことなく、切断中に突発的な風により作業者が何らかの障害を負う等を除去して労働安全上の危険を排除し、更に作業効率が高い切断装置及び切断方法を提案する。
【０００８】
本発明は第２に、回転カッター装置の稼働時に粉塵防止のための用水を必要量確保するため、粉塵が付着した汚泥水を濾過してから清浄になった用水を再び回転カッターに噴射するようにし、少ない用水を効率よく行えるようにした切断装置及び切断方法を提案する。
【課題を解決するための手段】
【０００９】
本発明は、第１に、切断箇所に自走装置に設けた回転カッター装置の切断刃を近づけ、切断刃の近傍に設けた噴射口から粉塵の飛散防止のための水の噴射と切断操作を自走装置の運転席から遠隔制御して切断する構成である。
【００１０】
本発明は第２に、切断箇所に自走装置に設けた回転カッター装置の切断刃を近づけ、切断刃の近傍に設けた噴射口から粉塵の飛散防止のための水の噴射と切断操作を遠隔の自走装置の運転席から制御して切断する際に泥状の粉塵を切断位置の下側に水槽を設けて一旦溜め、更に水槽から泥状の粉塵と溜まった水分と共に濾過装置に送り込み、濾過された清浄水を水槽を経由して再び噴射口へ供給するようにした構成である。
【発明の効果】
【００１１】
したがって、本発明によれば、自走装置に設けた回転カッター装置による切断作業は、従来のように手動式の切断器具によることなく、離隔的位置の自走装置運転側の作業者が遠隔操作によって実施するため、粉塵を吸い込むことなく、また手動切断機械の操作誤りによる死傷事故を未然に防止しうるものである。また従来のハンドカッター装置による切断では、切断線を直線にするには別途案内棒等を必要として手数が掛かると共に、ハンドカッターのみで切断をするときは左右に振れてしまい、回転ディスクカッターの側面の抵抗が大きくなって切断効率が落ち、無理に進めたときはディスク自体を破損し、破片が作業者に当たって障害を起こす危険があるが、本発明によれば、直線切断を簡単に進めることができる。
【００１２】
したがって、本発明によれば、切断時の粉塵発生があっても、噴射した水によってすぐ泥状になって下側の水槽に溜められるので、粉塵の浮遊状態を解消でき、更に濾過装置によって清浄な用水として再利用可能となり、省エネルギ効果を有し、切断場所の付近を汚す虞れはない。特に被切断物の材質によって環境汚染に繋がるので、切断時の汚染物質を安全に回収することができる。特に風車翼の切断場所は国立公園内の場合が多く、環境に特に注意を必要とするため、本発明はこのような自然環境対策にも良好である。
【図面の簡単な説明】
【００１３】
【図１】風車の翼の説明に供する平面図
【図２】風車の翼の説明に供する側面図
【図３】本発明の一例を示す切断のための系統図
【図４】切断カッター装置付き自走装置の一例を示す図
【発明を実施するための形態】
【００１４】
図１、図２は風車の翼の示す平面図及び側面である。大型風車の翼１０は長さが３０メートルに至るものがあるため、破損した又は寿命となった翼は、一般に所定長に切断してから解体することになる。そのため、風車設置個所で一旦搬送用トラックに積載可能な長さにするため、数カ所に切断することが多い。
【００１５】
図１に示すように、地上に下ろした翼１０に対し切断箇所を指定し、いわゆる輪切りをすることになる。その際、労働安全上の配慮から、直接カッター装置を作業者が手で操作するのではなく、図３に示すように、自走装置２０に設置した大型ディスクカッターを回転制御するカッター装置３０によって行われる。ディスク刃３１は最大直径２メートル程度のものを取り付けられるように油圧モータによる回転トルクが確保されている。その駆動力は自走装置２０に内蔵の油圧駆動装置による圧油によって油圧モータ３２の回転により発生される。
【００１６】
カッター装置３０は、図４に示すように、下部走行体にクローラ３５を採用し、上部旋回体にブーム３６、アーム３７を介してその先端に油圧モータ３２が組み込まれ、油圧モータ３２の回転軸に切断用ディスク３１が回転可能に取り付けられてカッター装置３０が構成されている。したがって、翼１０の切断に際し、ブーム３６・アーム３７を介した離隔位置の運転席２１からの運転制御によって自由にカッター装置３０を上げ下げしたり、前後移動も可能となる。
【００１７】
切断時に発生する粉塵は付近に飛散しないように、図３に示すように、切断箇所の下側に移動可能な水槽５０を設け、水槽５０の上側には飛散防止のための幕６０が四方に張り巡らされている。幕６０は厚手の防水シートが好適であり、水槽５０の四方の角付近に立設した支柱６１により支持され、約５０〜１５０センチメートル程度の高さにセットすることができる。そして幕６０の下端は水槽５０の中に入るようにし、切断時の粉塵が幕６０の内側に止まりかつ水槽５０に泥状になって沈下するように配慮されている。
【００１８】
カッター装置２０には、切断時の粉塵を付近にまき散らすことのないように、回転するディスクカッター刃２１及び翼１０の切断箇所付近に清浄な水を噴射する噴射装置２３が設けられている。水噴射装置２３は、ディスク切断時の加熱防止と粉塵を水分で泥状にして重くし、下側の水槽５０に導くものである。水槽５０に溜まった汚泥様の水分は、図３に示すように、近傍のトラック７１の荷台上に設けた濾過装置７０により吸い上げ、更に清浄になった水分は一旦別の水槽７２に導入し、この水槽７２から随時ディスクカッター切断用水として噴射装置２３側へ供給する構成を採るものである。尚、切断用水の循環管路７３中に、必要に応じて加圧のための小型ポンプが随時設置されている。
【００１９】
次に、風車の翼１０のような長尺物の切断方法について説明する。まず切断される大型風車の翼１０をほぼ水平に保持するため、図１、図２に示すように、切断箇所の中間位置の数カ所に支持台１５を設けて、翼１０を安定的に固定する。必要に応じてロープ・レバーブロック１６等で固定化することもできる。通常、大型風車の翼１０自体は重量があるので、支持台１５上で安定して保持される。
【００２０】
次に、図２に示すように、最初の切断位置を翼１０に線を引いて目印１７を付けてからその下側に水槽５０を設置して水槽５０の上部に幕６０を設置する。幕６０は予め翼１０の断面に一致する切れ目を入れておく。更に、翼１０及び接する切れ目部分に外部へ水分が漏れないように粘着テープ等で固定することができる。幕６０の上方は開放されているので、図３に示すように、自走式のディスクカッター装置２０を近づけて切断用ディスク刃を翼１０の上に近づける。ディスク刃からアーム・ブームを介して離れた位置の自走機械（クローラー式又はタイヤ式）２０の運転台からの操作により、水の噴射と共にディスク刃３１を回転駆動して切断を開始する。切断用ディスク刃３１はその直径２メートル程度のものを用いることにより、引き又は押し移動によって、大型風車の翼１０は切断可能となる。
【００２１】
その際、切断時の粉塵が発生するが、ディスク刃３１付近に設けた水噴射装置２３からの噴射水によって粉塵は水分によって泥状になって水槽５０に落下する。また四方に囲った幕６０により付近に飛散することがない。
【００２２】
切断を完了しても、切り落とされた翼１０は支持台１５によって移動・落下はない。次いで一旦自走式ディスクカッター装置２０を安全な位置に移動してから、短く切断された翼１０の切片を幕６０から水平に抜き出して別の保管場所に移動する。そして幕６０と水槽５０その他の附属機器を次の切断位置まで移動してから、幕６０と翼１０との隙間を再び粘着テープ等を用いて漏れをなくしてから、２回目の切断行程を進める。以下同様の手順で最後の切断行程まで進め、切断を完了する。
【産業上の利用可能性】
【００２３】
本発明は、長尺物の切断に適用される。特に大型風車の翼の切断に適用して好適である。更に、山間僻地での切断作業でも、粉塵防止用水の確保が困難な場所でも実施可能である。
【符号の説明】
【００２４】
１０  風車の翼
２０  自走装置
２３  水噴射装置
３０  カッター装置
５０  水槽
６０  幕
７０  濾過装置
【図１】
2012040622.tif 000003
【図２】
2012040622.tif 000004
【図３】
2012040622.tif 000005
【図４】
2012040622.tif 000006
【手続補正書】
【提出日】平成22年9月24日(2010.9.24)
【手続補正１】
【補正対象書類名】明細書
【補正対象項目名】０００５
【補正方法】変更
【補正の内容】
【０００５】
しかし、上記のように、風車翼の材質がＦＲＰのような場合は、切断時に浮遊する粉塵を吸い込む虞れがある環境で切断することは、人体に悪い影響を及ぼすため、労働衛生上回避しなければならない。
【手続補正２】
【補正対象書類名】明細書
【補正対象項目名】０００７
【補正方法】変更
【補正の内容】
【０００７】
本発明はかかる点に鑑み、作業者が直接カッター装置を手で操作することなく、ハンドカッターによる切断方法を採らず、その切断箇所から離れた箇所にて自走機械等に設けた回転カッター装置により離隔的に切断操作をすることにより、作業者が切断時の粉塵を吸い込むことなく、切断中に突発的な風により作業者が何らかの障害を負う等を除去して労働安全上の危険を排除し、更に作業効率が高い切断装置及び切断方法を提案する。
【手続補正３】
【補正対象書類名】明細書
【補正対象項目名】０００９
【補正方法】変更
【補正の内容】
【０００９】
本発明は第１に、自走装置に設けた回転カッター装置の切断刃を切断箇所に近づける手段と、切断刃の近傍に設けた噴射口から粉塵の飛散防止のための水を噴射する手段とを設け、切断操作と水噴射操作を自走装置の運転席から遠隔制御して切断する構成である。
【手続補正４】
【補正対象書類名】明細書
【補正対象項目名】００１０
【補正方法】変更
【補正の内容】
【００１０】
本発明は第２に、自走装置に設けた回転カッター装置の切断刃を切断箇所に近づける手段と、切断刃の近傍に設けた噴射口から粉塵の飛散防止のための水を噴射とを設け、切断操作と水噴射操作を遠隔の自走装置の運転席から制御し、かつ切断する際に泥状の粉塵を切断位置の下側に設けた水槽に受けて一旦溜め、更に水槽から泥状の粉塵と溜まった水分とを濾過装置に送り込み、濾過された清浄水を水槽に貯留し、水槽から再び噴射口へ供給するようにした構成である。
【手続補正５】
【補正対象書類名】明細書
【補正対象項目名】００１２
【補正方法】変更
【補正の内容】
【００１２】
更に本発明によれば、切断時の粉塵の発生があっても、噴射した水によってすぐ泥状になって下側の水槽に溜められるので、粉塵の空気中の浮遊状態を解消でき、更に濾過装置によって清浄な用水として再利用可能となり、省エネルギ効果を有し、かつ切断場所の付近を汚す虞れはない。特に被切断物の材質によって環境汚染に繋がるので、切断時の汚染物質を安全に回収することができる。特に風車の翼の切断場所は国立公園内に設置される場合が多く、自然環境の保全に特に注意を必要とするため、本発明はこのような自然環境対策にも良好である。
【手続補正６】
【補正対象書類名】明細書
【補正対象項目名】００１３
【補正方法】変更
【補正の内容】
【００１３】
【図１】風車の翼の説明に供する側面図
【図２】風車の翼の説明に供する平面図
【図３】本発明の一例を示す切断のための系統図
【図４】切断カッター装置付き自走装置の一例を示す図
【手続補正７】
【補正対象書類名】明細書
【補正対象項目名】００１４
【補正方法】変更
【補正の内容】
【００１４】
図１、図２は風車の翼の示す側面図及び平面図である。大型風車の翼１０は長さが３０メートルに至るものがあるため、破損し又は寿命となった翼は、一般に所定長に切断してから解体されることになる。そのため、搬送用トラックに積載可能な長さにするため、風車の設置場所で数カ所に切断することが多い。
【手続補正８】
【補正対象書類名】明細書
【補正対象項目名】００１８
【補正方法】変更
【補正の内容】
【００１８】
カッター装置２０には、切断時の粉塵を付近にまき散らすことのないように、回転するディスクカッター刃２１及び翼１０の切断箇所付近に清浄な水を噴射する噴射装置２３が設けられている。水噴射装置２３は、ディスク切断時の加熱防止を兼ね、粉塵を水分で泥状にして重くし、下側の水槽５０に導くものである。水槽５０に溜まった汚泥及び汚れた水分は、図３に示すように、近傍のトラック７１の荷台上に設けた濾過装置７０へポンプにより吸い上げ、更に清浄になった水分は一旦別の水槽７２に導入し、水槽７２から随時ディスクカッター切断用水として噴射装置２３の噴射口へ供給する構成を採るものである。各機器間の配管の図示は省略した。尚、切断用水の循環管路７３中に、必要に応じて加圧のためのポンプが設置されている。
【手続補正書】
【提出日】平成22年12月4日(2010.12.4)
【手続補正１】
【補正対象書類名】明細書
【補正対象項目名】０００５
【補正方法】変更
【補正の内容】
【０００５】
しかし、上記のように、風車翼の材質がＦＲＰのような場合は、切断時に空気中に浮遊する粉塵を吸い込む虞れがある環境で切断することは、人体に悪い影響を及ぼすため、労働衛生上回避しなければならない。
【手続補正２】
【補正対象書類名】明細書
【補正対象項目名】０００７
【補正方法】変更
【補正の内容】
【０００７】
本発明はかかる点に鑑み、作業者が直接カッター装置を手で操作することなく、ハンドカッターによる切断方法を採らず、その切断箇所から離れた箇所にて自走機械等に設けた回転カッター装置により離隔的に切断操作をすることにより、作業者が切断時の粉塵を吸い込むことなく、切断中に突発的な風により作業者が何らかの障害を負う等を除去して労働安全上の危険を排除し、更に作業効率が高い切断装置及び切断方法を提案する。
【手続補正３】
【補正対象書類名】明細書
【補正対象項目名】０００９
【補正方法】変更
【補正の内容】
【０００９】
本発明は第１に、自走装置に設けた回転カッター装置の切断刃を切断箇所に近づける手段と、切断刃の近傍に設けた噴射口から粉塵の飛散防止のための水を噴射する手段とを設け、切断操作と水噴射操作とを自走装置の運転席から遠隔制御して切断する構成である。
【手続補正４】
【補正対象書類名】明細書
【補正対象項目名】００１０
【補正方法】変更
【補正の内容】
【００１０】
本発明は第２に、自走装置に設けた回転カッター装置の切断刃を切断箇所に近づける機能と、切断刃の近傍に設けた噴射口から粉塵の飛散防止のための水の噴射機能とを設け、切断操作と水噴射操作を遠隔の自走装置の運転席から制御し、かつ切断する際に泥状の粉塵を切断位置の下側に設けた水槽に受けて一旦溜め、更に水槽から泥状の粉塵と溜まった水分とを濾過装置に送り込み、濾過された清浄水を水槽に貯留し、水槽から再び噴射口へ供給するようにした構成である。
【手続補正５】
【補正対象書類名】明細書
【補正対象項目名】００１２
【補正方法】変更
【補正の内容】
【００１２】
更に本発明によれば、切断時の粉塵の発生があっても、噴射した水によってすぐ泥状になって下側の水槽に溜められるので、粉塵の空気中の浮遊状態を解消でき、更に濾過装置によって清浄な用水として再利用可能となり、省エネルギ効果を有し、かつ切断場所の付近を汚す虞れはない。特に被切断物の材質によって環境汚染に繋がるので、切断時の汚染物質を安全に回収することができる。特に風車の翼の切断場所は国立公園内に設置される場合が多く、自然環境の保全に特に注意を必要とするため、本発明はこのような自然環境対策にも良好である。
【手続補正６】
【補正対象書類名】明細書
【補正対象項目名】００１３
【補正方法】変更
【補正の内容】
【００１３】
【図１】風車の翼の説明に供する側面図
【図２】風車の翼の説明に供する平面図
【図３】本発明の一例を示す切断のための系統図
【図４】切断カッター装置付き自走装置の一例を示す図
【手続補正７】
【補正対象書類名】明細書
【補正対象項目名】００１４
【補正方法】変更
【補正の内容】
【００１４】
図１、図２は風車の翼の示す側面図及び平面図である。大型風車の翼１０は長さが３０メートルに至るものがあるため、破損し又は寿命となった翼は、一般に所定長に切断してから解体されることになる。そのため、搬送用トラックに積載可能な長さにするため、風車の設置場所で数カ所に切断することが多い。
【手続補正８】
【補正対象書類名】明細書
【補正対象項目名】００１８
【補正方法】変更
【補正の内容】
【００１８】
カッター装置２０には、切断時の粉塵を付近にまき散らすことのないように、回転するディスクカッター刃２１及び翼１０の切断箇所付近に清浄な水を噴射する噴射装置２３が設けられている。水噴射装置２３は、ディスク切断時の加熱防止を兼ね、粉塵を水分で泥状にして重くし、下側の水槽５０に導くものである。水槽５０に溜まった汚泥及び汚れた水分は、図３に示すように、近傍のトラック７１の荷台上に設けた濾過装置７０へポンプにより吸い上げ、更に清浄になった水分は一旦別の水槽７２に導入し、水槽７２から随時ディスクカッター切断用水として噴射装置２３の噴射口へ供給する構成を採るものである。各機器間の配管の図示は省略した。尚、切断用水の循環管路７３中に、必要に応じて加圧のためのポンプが設置されている。